(57)【要約】      （修正有）【課題】商品を販売する販売者の利便性を向上することができる情報処理装置、情報処理方法及び情報処理プログラムを提供する。【解決手段】情報処理装置（ＥＣサーバ１００）は、第１特定部１３２と、設定部１３３とを備える。第１特定部１３２は、所定の販売元により予め選択された取引対象であって他の販売元により販売される取引対象の価格を特定する。設定部１３３は、第１特定部１３２により特定された価格に基づいて、所定の販売元により販売される取引対象の価格を設定する。【選択図】図７
2020135462.tif 000002
【特許請求の範囲】
【請求項１】
所定の販売元により予め選択された取引対象であって他の販売元により販売される取引対象の価格を特定する特定部と、
前記特定部により特定された価格に基づいて、前記所定の販売元により販売される取引対象の価格を設定する設定部と、
を備えたことを特徴とする情報処理装置。
【請求項２】
前記特定部は、
前記所定の販売元が、当該所定の販売元により販売される取引対象と紐付けた取引対象であって、前記他の販売元により販売される取引対象の価格を特定する
ことを特徴とする請求項１に記載の情報処理装置。
【請求項３】
前記設定部は、
前記特定部により特定された価格に基づいて、前記所定の販売元により販売される取引対象の価格を、前記他の販売元により販売される取引対象の価格よりも安くなる価格に設定する
ことを特徴とする請求項１又は請求項２に記載の情報処理装置。
【請求項４】
前記設定部は、
前記所定の販売元により販売される取引対象の価格を、当該所定の販売元により当該取引対象に対して予め定められた下限の価格以上の価格に設定する
ことを特徴とする請求項１〜３のいずれか一つに記載の情報処理装置。
【請求項５】
前記特定部は、
前記他の販売元により販売される取引対象の購入に際して購入者に付与される所定の利益を特定し、
前記設定部は、
前記特定部により特定された前記所定の利益と前記価格とに基づいて、前記所定の販売元により販売される取引対象の価格を設定する
ことを特徴とする請求項１〜４のいずれか一つに記載の情報処理装置。
【請求項６】
前記特定部は、
前記所定の利益として、前記購入者に付与されるポイントを特定し、
前記設定部は、
前記特定部により特定された前記ポイントと前記価格とに基づいて、前記所定の販売元により販売される取引対象の価格を設定する
ことを特徴とする請求項５に記載の情報処理装置。
【請求項７】
前記設定部は、
前記特定部により特定された前記ポイントと前記価格とに基づいて、前記所定の販売元により販売される取引対象の購入に際して購入者に付与されるポイントを設定する
ことを特徴とする請求項６に記載の情報処理装置。
【請求項８】
前記特定部は、
前記所定の利益として、前記購入者に付与されるクーポンを特定し、
前記設定部は、
前記特定部により特定された前記クーポンと前記価格とに基づいて、前記所定の販売元により販売される取引対象の価格を設定する
ことを特徴とする請求項５〜７のいずれか一つに記載の情報処理装置。
【請求項９】
前記特定部は、
前記他の販売元により販売される取引対象の送料を特定し、
前記設定部は、
前記特定部により特定された前記送料と前記価格とに基づいて、前記所定の販売元により販売される取引対象の価格を設定する。
ことを特徴とする請求項１〜８のいずれか一つに記載の情報処理装置。
【請求項１０】
前記設定部は、
前記特定部により特定された前記送料と前記価格とに基づいて、前記所定の販売元により販売される取引対象の送料を設定する
ことを特徴とする請求項９に記載の情報処理装置。
【請求項１１】
前記設定部は、
前記特定部により特定された価格が更新された場合、当該更新された価格よりも安くなる価格に、前記所定の販売元により販売される取引対象の価格を再設定する
ことを特徴とする請求項１〜１０のいずれか一つに記載の情報処理装置。
【請求項１２】
前記特定部は、
前記所定の販売元により予め選択されたジャンルに含まれる取引対象の価格を特定する
ことを特徴とする請求項１〜１１のいずれか一つに記載の情報処理装置。
【請求項１３】
前記特定部は、
前記所定の販売元による操作に応じて選択された複数の取引対象の価格を特定し、
前記設定部は、
前記特定部により特定された複数の取引対象の価格に基づいて、当該複数の取引対象の価格の最安値よりも安くなる価格に、前記所定の販売元により販売される取引対象の価格を設定する
ことを特徴とする請求項１〜１２のいずれか一つに記載の情報処理装置。
【請求項１４】
前記設定部は、
前記他の販売元により販売される前記取引対象が売り切れた場合、前記特定部により特定された価格に基づいて設定された価格を、予め定められた所定の価格に設定する
ことを特徴とする請求項１〜１３のいずれか一つに記載の情報処理装置。
【請求項１５】
前記所定の販売元により販売される取引対象と、当該所定の販売元が当該取引対象と紐付けた取引対象であって、前記他の販売元により販売される取引対象とを紐付けた情報を通知する通知部、
を更に備えたことを特徴とする請求項１〜１４のいずれか一つに記載の情報処理装置。
【請求項１６】
前記通知部は、
前記他の販売元により予め選択された取引対象に、前記所定の販売元により販売される前記取引対象が含まれる場合、当該所定の販売元により販売される当該取引対象と、当該他の販売元により販売される前記取引対象とが競合関係にある旨の情報を通知する
ことを特徴とする請求項１５に記載の情報処理装置。
【請求項１７】
前記通知部は、
前記所定の販売元により販売される取引対象の配信コンテンツを要求した利用者に対して、前記競合関係にある取引対象を推奨する
ことを特徴とする請求項１６に記載の情報処理装置。
【請求項１８】
コンピュータにより実行される情報処理方法であって、
所定の販売元により予め選択された取引対象であって他の販売元により販売される取引対象の価格を特定する特定工程と、
前記特定工程により特定された価格に基づいて、前記所定の販売元により販売される取引対象の価格を設定する設定工程と、
を含んだことを特徴とする情報処理方法。
【請求項１９】
所定の販売元により予め選択された取引対象であって他の販売元により販売される取引対象の価格を特定する特定手順と、
前記特定手順により特定された価格に基づいて、前記所定の販売元により販売される取引対象の価格を設定する設定手順と、
をコンピュータに実行させることを特徴とする情報処理プログラム。
【発明の詳細な説明】
【技術分野】
【０００１】
本発明は、情報処理装置、情報処理方法及び情報処理プログラムに関する。
【背景技術】
【０００２】
ネットワークを用いた電子商取引（ＥＣ:Electric  Commerce）が活発に行われている。ＥＣサイト等のサイトでは、複数のストアが参加する販売活動が行われる。従来、セール商品となる商品のセール条件をストアに通知する技術が知られている。
【先行技術文献】
【特許文献】
【０００３】
【特許文献１】特許第６２９４５４３号公報
【発明の概要】
【発明が解決しようとする課題】
【０００４】
しかしながら、上記の従来技術では、商品を販売する販売者の利便性を向上することができるとは限らなかった。
【０００５】
本願は、上記に鑑みてなされたものであって、商品を販売する販売者の利便性を向上することができる情報処理装置、情報処理方法及び情報処理プログラムを提供することを目的とする。
【課題を解決するための手段】
【０００６】
本願に係る情報処理装置は、所定の販売元により予め選択された取引対象であって他の販売元により販売される取引対象の価格を特定する特定部と、前記特定部により特定された価格に基づいて、前記所定の販売元により販売される取引対象の価格を設定する設定部とを備えたことを特徴とする。
【発明の効果】
【０００７】
実施形態の一態様によれば、商品を販売する販売者の利便性を向上することができる。
【図面の簡単な説明】
【０００８】
【図１】図１は、実施形態に係る情報処理の一例を示す図である。
【図２】図２は、実施形態に係る情報処理の一例を示す図である。
【図３】図３は、実施形態に係る情報処理の一例を示す図である。
【図４】図４は、実施形態に係る情報処理システムの構成例を示す図である。
【図５】図５は、実施形態に係る販売者端末の構成例を示す図である。
【図６】図６は、実施形態に係る利用者端末の構成例を示す図である。
【図７】図７は、実施形態に係るＥＣサーバの構成例を示す図である。
【図８】図８は、実施形態に係る商品情報記憶部の一例を示す図である。
【図９】図９は、実施形態に係る指定情報記憶部の一例を示す図である。
【図１０】図１０は、実施形態に係るモデル情報記憶部の一例を示す図である。
【図１１】図１１は、実施形態に係る情報処理の一例を示すフローチャートである。
【図１２】図１２は、実施形態に係る情報処理の一例を示すフローチャートである。
【図１３】図１３は、情報処理装置の機能を実現するコンピュータの一例を示すハードウェア構成図である。
【発明を実施するための形態】
【０００９】
以下に、本願に係る情報処理装置、情報処理方法及び情報処理プログラムを実施するための形態（以下、「実施形態」と呼ぶ）について図面を参照しつつ詳細に説明する。なお、この実施形態により本願に係る情報処理装置、情報処理方法及び情報処理プログラムが限定されるものではない。また、以下の各実施形態において同一の部位には同一の符号を付し、重複する説明は省略される。
【００１０】
（実施形態）
〔１．情報処理の一例〕
まず、図１を用いて、実施形態に係る情報処理の一例について説明する。図１は、実施形態に係る情報処理の一例を示す図である。図１では、実施形態に係る情報処理がＥＣサーバ１００により実行される例を示す。なお、実施形態に係るＥＣサーバ１００は、本願に係る情報処理装置の一例である。また、実施形態に係る商品は、本願発明における取引対象の一例である。
【００１１】
〔情報処理システムの構成〕
図１の説明に先立って、図４を用いて情報処理システム１の構成について説明する。図４は、実施形態に係る情報処理システムの構成例を示す図である。図４に示すように、販売者端末１０と、利用者端末２０と、ＥＣサーバ１００とが含まれる。販売者端末１０と、利用者端末２０と、ＥＣサーバ１００とは所定のネットワークＮを介して、有線または無線により通信可能に接続される。なお、図４に示した情報処理システム１には、複数台の販売者端末１０や、複数台の利用者端末２０や、複数台のＥＣサーバ１００が含まれてもよい。
【００１２】
販売者端末１０は、電子商店街において所定の商品を販売する販売者（以下、適宜「販売元」と呼ぶ）によって利用される情報処理装置である。販売者端末１０は、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、販売者端末１０がＰＣである場合を示す。なお、以下では、販売者端末１０を販売者と表記する場合がある。すなわち、以下では、販売者を販売者端末１０と読み替えることもできる。図１乃至図２では、販売者端末１０が販売者ＩＤ「Ｕ１」や「Ｕ２」により識別される販売者（以下、「販売者Ｕ１」や「販売者Ｕ２」とする場合がある）が利用するＰＣである場合を示す。図３では、販売者端末１０が販売者ＩＤ「Ｕ３」により識別される販売者（以下、「販売者Ｕ３」とする場合がある）が利用するＰＣである場合を示す。
【００１３】
利用者端末２０は、所定の商品に関する情報の配信を要求する利用者によって利用される情報処理装置である。利用者端末２０は、スマートフォンや、タブレット型端末や、ノート型ＰＣや、デスクトップＰＣや、携帯電話機や、ＰＤＡ等により実現される。図１に示す例においては、利用者端末２０がＰＣである場合を示す。なお、以下では、利用者端末２０を利用者と表記する場合がある、すなわち、以下では、利用者を利用者端末２０と読み替えることもできる。図１乃至図２では、利用者端末２０が利用者ＩＤ「Ａ１」により識別される利用者（以下、「利用者Ａ１」とする場合がある）が利用するＰＣである場合を示す。
【００１４】
ＥＣサーバ１００は、例えば、ＰＣ、ＷＳ（Work  Station）等の情報処理装置であり、販売者端末１０又は利用者端末２０からネットワークＮを介して送信されてきた情報に基づいて処理を行う。
【００１５】
以下、図１を用いて、情報処理の一例を説明する。例えば、販売者Ｕ１は、商品Ｘ１の商品情報をＥＣサーバ１００に入稿したとする（ステップＳ１００−１）。なお、図１の例では、商品Ｘ１は４Ｋテレビである。また、例えば、販売者Ｕ２は、商品Ｙ１の商品情報をＥＣサーバ１００に入稿したとする（ステップＳ１００−２）。なお、図１の例では、商品Ｙ１はスマホである。ここで、例えば、販売者Ｕ１は、商品Ｘ１と紐付く商品として商品Ｙ１を指定（選択）したとする。例えば、販売者Ｕ１は、商品Ｘ１と競合関係（ライバル関係）にある商品として商品Ｙ１を指定（選択）したとする。なお、図１のステップＳ１００−１とステップＳ１００−２とを総合して、適宜「ステップＳ１００」と呼ぶ。
【００１６】
販売者端末１０は、商品Ｘ１の指定情報をＥＣサーバ１００に送信する（ステップＳ１０１）。具体的には、販売者端末１０は、商品Ｘ１の指定情報として、商品Ｘ１に紐付く商品として販売者Ｕ１から受け付けられた情報をＥＣサーバ１００に送信する。なお、ステップＳ１０１は、商品Ｘ１の商品情報をＥＣサーバ１００に入稿と同時に行われてもよく、商品情報の入稿後、任意のタイミングで実行されてもよい。ＥＣサーバ１００は、販売者端末１０から送信された指定情報に基づいて、商品Ｘ１と紐付く商品である商品Ｙ１の販売価格（以下、適宜「価格」と呼ぶ）を特定する（ステップＳ１０２）。
【００１７】
ここで、ＥＣサーバ１００は、特定された商品Ｙ１の価格（販売価格）に基づいて商品Ｘ１の価格（販売価格）を設定する（ステップＳ１０３）。具体的には、ＥＣサーバ１００は、商品Ｙ１の価格よりも安くなる（低くなる）価格に商品Ｘ１の価格を自動的に設定する。このように、ＥＣサーバ１００は、販売者Ｕ１によって指定された商品の価格に基づいて、販売者Ｕ１が出品した商品の価格を自動的に設定する。
【００１８】
このように、ＥＣサーバ１００は、販売者Ｕ１から販売対象となる商品と、電子商店街等の各種マーケットにおいてその商品と競合すると考えている商品（以下、「競合商品」と記載する。）との登録を受付ける。このような場合、ＥＣサーバ１００は、販売者Ｕ１が出品する商品の価格を、販売者Ｕ１がその商品と競合していると考えている商品の価格よりも安価な価格に設定するので、販売者Ｕ１により販売される商品の販売機会を促進することができる。また、ＥＣサーバ１００は、このような価格設定を自動的に行うので、販売者Ｕ１による競合商品の価格を確認し、自身が販売する商品の価格を競合商品の価格に対応する価格へと更新する手間を削減する結果、販売者Ｕ１のユーザビリティを向上させることができる。さらに、ＥＣサーバ１００は、競合商品が存在する商品の価格をリアルタイムに更新することができるので、より安価な商品を購入者に対して提供することができる結果、利用者のユーザビリティを向上させることができる。
【００１９】
なお、ＥＣサーバ１００は、商品Ｙ１が商品Ｘ１と紐付けられた旨の情報を販売者Ｕ２に送信（通知）してもよい（ステップＳ１０４）。このような処理を行うことで、ＥＣサーバ１００は、販売者Ｕ２が商品Ｙ１の競合商品であると認識していなかった商品Ｘ１を競合商品として通知することができるので、販売者Ｕ２のユーザビリティを向上させることができる。なお、ステップＳ１０４は、ステップＳ１０１の後であればどのタイミングで行われてもよいものとする。
【００２０】
また、ＥＣサーバ１００は、利用者Ａ１の配信要求に応じて所定のコンテンツを配信する。この際に、ＥＣサーバ１００は、競合関係にあると指定（選択）された商品を推奨してもよい（ステップＳ１０５）。例えば、ＥＣサーバ１００は、競合関係にあると指定（選択）された商品に関する情報を配信する。具体的には、ＥＣサーバ１００は、競合関係にあると指定（選択）された商品に関するコンテンツを、利用者Ａ１の利用者端末２０に送信する。例えば、ＥＣサーバ１００は、利用者Ａ１が商品Ｘ１のコンテンツの配信を要求した場合には、商品Ｘ１と紐付く商品として販売者Ｕ１により指定(選択)された商品Ｙ１を推奨してもよい。例えば、ＥＣサーバ１００は、商品Ｘ１と紐付く商品として販売者Ｕ１により指定(選択)された商品Ｙ１に関する情報を配信してもよい。具体的には、ＥＣサーバ１００は、商品Ｘ１と紐付く商品として販売者Ｕ１により指定(選択)された商品Ｙ１に関するコンテンツを、利用者Ａ１の利用者端末２０に送信してもよい。また、例えば、ＥＣサーバ１００は、利用者Ａ１が商品Ｙ１のコンテンツの配信を要求した場合には、商品Ｙ１と紐付けられた商品Ｘ１を推奨してもよい。例えば、ＥＣサーバ１００は、商品Ｙ１と紐付けられた商品Ｘ１に関する情報を配信してもよい。具体的には、ＥＣサーバ１００は、商品Ｙ１と紐付けられた商品Ｘ１に関するコンテンツを、利用者Ａ１の利用者端末２０に送信してもよい。なお、ステップＳ１０５は、ステップＳ１０１の後であればどのタイミングで行われてもよいものとする。
【００２１】
以下、図１に示すステップＳ１０１〜Ｓ１０５に関する処理の詳細について説明する。まず、ＥＣサーバ１００に入稿された商品情報の一例について説明する。図１の例では、ＥＣサーバ１００に入稿された商品情報には、商品名や価格（販売価格）や付与ポイントや下限の価格に関する情報が含まれる。例えば、商品Ｘ１の商品情報には、商品名が「メーカー＃１」の４Ｋテレビであり、価格が１０万円であり、付与ポイントが１０％であり、下限の価格が７万円であることが含まれる。ここで、商品名が「メーカー＃１」の４Ｋテレビとは、例えば、ブランド「メーカー＃１」の４Ｋテレビであってもよいし、商品Ｘ１の特徴を示す情報であってもよい。また、付与ポイントは、所定の商品の購入に際して購入者に付与される所定の利益の一例である。例えば、付与ポイントが１０％であるとは、価格が１０万円である商品が購入された場合に購入者に付与されるポイントが１万円である。
【００２２】
ここで、下限の価格とは、例えば、価格（販売価格）の値下げに際して値下げの限界値として販売者により設定された価格である。具体的には、下限の価格は、図１のステップＳ１０３においてＥＣサーバ１００により設定され得る価格の最安値である。例えば、ＥＣサーバ１００は、商品Ｘ１の下限の価格が「７万円」に設定されている場合、競合商品である商品Ｙ１の価格が「７万円」未満に設定された場合であっても、商品Ｘ１の価格を「７万円」に留める。
【００２３】
なお、下限の価格は、販売者が所定の商品を指定（選択）した時に設定される価格であってもよい。例えば、下限の価格は、商品Ｘ１と紐付く商品として商品Ｙ１を指定（選択）した時に販売者によって設定される価格であってもよい。この場合、図１のステップＳ１０１において、販売者端末１０は、商品Ｘ１の指定情報と共に、下限の価格に関する情報をＥＣサーバ１００に送信してもよい。
【００２４】
以下、図１のステップＳ１０３の処理について説明する。ステップＳ１０３では、ＥＣサーバ１００は、特定された商品Ｙ１の価格に基づいて商品Ｘ１の価格を設定する。図１の例では、商品Ｘ１の価格（販売価格）は１０万円であり、商品Ｙ１の価格（販売価格）は８万円であることから、ＥＣサーバ１００は、商品Ｘ１の価格を８万円未満に設定する。なお、図１の例では、商品Ｘ１の下限の価格は７万円であることから、ＥＣサーバ１００は、商品Ｘ１の価格を７万円以上８万円未満に設定する。
【００２５】
このように、ＥＣサーバ１００は、商品Ｘ１に下限の価格が設定された場合には、商品Ｘ１の価格を、商品Ｙ１の価格よりも安くなる価格であって、商品Ｘ１の下限の価格を下回らない価格に設定してもよい。なお、例えば、商品Ｙ１の販売価格が８万円ではなく７万円である場合には、商品Ｘ１の下限の価格も７万円であることから、ＥＣサーバ１００は、商品Ｘ１の価格を７万円に設定してもよい。また、例えば、商品Ｙ１の販売価格が６万円である場合には、商品Ｙ１の価格よりも安くなるように設定しようとすると、商品Ｘ１の下限の価格を下回ることから、ＥＣサーバ１００は、商品Ｘ１の価格を下限の価格に設定してもよい。
【００２６】
なお、上記実施形態では、ＥＣサーバ１００は、価格（販売価格）に基づいて、商品Ｘ１の価格を、商品Ｙ１よりも有利になる（総合的に安くなる）価格に設定する例を示した。ここで、ＥＣサーバ１００は、所定の商品の購入に際して購入者に付与される所定の利益と価格とに基づいて、商品Ｘ１の価格を、商品Ｙ１よりも有利になる価格に設定してもよい。この場合、ＥＣサーバ１００は、商品Ｘ１の価格と共に、商品Ｘ１の購入に際して購入者に付与される所定の利益を設定してもよい。例えば、ＥＣサーバ１００は、商品Ｘ１の価格を変えずに、商品Ｙ１よりも有利になるように、商品Ｘ１の所定の利益を設定してもよい。以下、図１のステップＳ１０３において、所定の利益と価格とに基づいて、商品Ｘ１の価格を設定する処理について説明する。
【００２７】
例えば、ＥＣサーバ１００は、所定の商品の購入に際して購入者に付与される所定の利益として、購入者に付与（提供）されるポイント（以下、適宜「付与ポイント」と呼ぶ）と価格とに基づいて、商品Ｘ１の価格を設定してもよい。なお、ポイントは、購入者にとって所定の利益とみなされるものであればどのようなものであってもよい。例えば、ポイントは、電子マネーであってもよい。例えば、ポイントは、所定の経済圏や利用用途を制限した電子マネーであってもよい。また、ポイントは、電子マネーとして提供されるものでもよい。つまり、ポイントとは、いわゆるキャッシュバック方式で提供される利益を含んでよい。図１の例では、商品Ｘ１の価格（販売価格）は１０万円であり、商品Ｘ１の付与ポイントは１０％であることから、商品Ｘ１の実質的な価格（実質的な販売価格）（以下、適宜「実質価格」と呼ぶ）は９万円である。なお、実質価格は、例えば、所定の商品の購入に際して購入者に付与される所定の利益が適用された価格である。すなわち、実質価格は、販売価格から所定の利益に相当する額を差し引いた価格である。また、図１の例では、商品Ｙ１の価格（販売価格）は８万円であり、商品Ｙ１の付与ポイントは１０％であることから、商品Ｙ１の実質価格は７万２千円である。例えば、ＥＣサーバ１００は、商品Ｙ１よりも有利になるように、商品Ｘ１の実質価格を設定してもよい。具体的には、ＥＣサーバ１００は、商品Ｙ１の実質価格よりも安くなるように、商品Ｘ１の実質価格を設定してもよい。具体的な例を挙げると、ＥＣサーバ１００は、商品Ｘ１の価格を７万８千円（実質価格７万２百円）に設定してもよい。また、例えば、ＥＣサーバ１００は、商品Ｘ１の付与ポイントを３０％（実質価格７万円）に設定してもよい。また、例えば、ＥＣサーバ１００は、商品Ｘ１の価格を８万円、及び商品Ｘ１の付与ポイントを１２％（実質価格７万４百円）に設定してもよい。このように、ＥＣサーバ１００は、所定の利益を含めた価格に基づいて、商品Ｘ１の価格を設定してもよい。
【００２８】
また、ＥＣサーバ１００は、商品Ｘ１と商品Ｙ１のどちらか一方のみに付与ポイントが設定された場合には、付与ポイントが設定されていない商品の付与ポイントを０％として商品Ｘ１の価格を設定してもよい。例えば、図１の商品Ｙ１に付与ポイントが設定されていない場合には、商品Ｙ１の実質価格は、商品Ｙ１の価格（販売価格）と同様８万円である。この場合、ＥＣサーバ１００は、商品Ｙ１の実質価格である８万円よりも安くなる価格に商品Ｘ１の実質価格を設定してもよい。
【００２９】
例えば、ＥＣサーバ１００は、所定の商品の購入に際して購入者に付与される所定の利益として、購入者に付与（提供）されるクーポン（以下、適宜「付与クーポンと呼ぶ」）と価格とに基づいて、商品Ｘ１の価格を設定してもよい。例えば、商品Ｘ１の価格が１０万円であり、商品Ｘ１の購入に際して購入者に１万円分のクーポン（例えば、クーポン券）が付与される場合には、商品Ｘ１の実質価格は９万円である。ここで、例えば、商品Ｙ１の購入に際して購入者に５千円分のクーポン（クーポン券）が付与（提供）される場合には、商品Ｙ１の実質価格は７万５千円となる。ＥＣサーバ１００は、商品Ｙ１よりも有利になる（商品Ｙ１の実質価格よりも安くなる）ように、商品Ｘ１の実質価格を設定してもよい。
【００３０】
また、ＥＣサーバ１００は、商品Ｘ１と商品Ｙ１のどちらか一方のみに付与クーポンが設定された場合には、付与クーポンが設定されていない商品の付与クーポンを０円として商品Ｘ１の価格を設定してもよい。例えば、ＥＣサーバ１００は、商品Ｙ１に付与クーポンが設定されていない場合には、商品Ｙ１の購入に際して購入者に０円分のクーポン（クーポン券）が付与（提供）されたとして商品Ｘ１の価格を設定してもよい。
【００３１】
例えば、ＥＣサーバ１００は、所定の商品の購入に際して購入者が負担する送料と価格とに基づいて、商品Ｘ１の価格を設定してもよい。この場合、ＥＣサーバ１００は、送料と価格とに基づいて、商品Ｘ１の価格を、商品Ｙ１よりも有利になる価格に設定してもよい。また、ＥＣサーバ１００は、商品Ｘ１の価格と共に、商品Ｘ１の購入に際して購入者が負担する送料を設定してもよい。また、ＥＣサーバ１００は、商品Ｘ１の価格を変えずに、商品Ｙ１よりも有利になるように、商品Ｘ１の送料を設定してもよい。例えば、商品Ｘ１の価格が１０万円であり、商品Ｘ１の購入に際して購入者が負担する送料が２千円である場合、商品Ｘ１の実質価格は１０万２千円である。
【００３２】
なお、上述した処理の場合、実質価格は、所定の商品の購入に際して購入者が負担する送料を含めた価格である。ここで、例えば、商品Ｙ１の購入に際して購入者に掛かる送料が２千円である場合には、商品Ｙ１の実質価格は８万２千円となる。ＥＣサーバ１００は、商品Ｙ１よりも有利になるように、商品Ｘ１の実質価格を設定してもよい。なお、送料は、購入者ごとに調整されてもよいものとする。例えば、購入先（発送先）から配送先（送付先）が１キロ以内の場合と、購入先（発送先）から配送先（送付先）が１０キロ以内の場合とでは送料が異なる場合があるため、ＥＣサーバ１００は、購入者ごとに調整された送料と価格とに基づいて、商品Ｘ１の価格を設定してもよい。
【００３３】
また、ＥＣサーバ１００は、商品Ｘ１と商品Ｙ１のどちらか一方のみに送料が設定された場合には、送料が設定されていない商品の送料を０円として商品Ｘ１の価格を設定してもよい。例えば、送料無料の場合である。例えば、ＥＣサーバ１００は、商品Ｙ１に送料が設定されていない場合には、商品Ｙ１の購入に際して購入者に０円分の送料が負担されるとして商品Ｘ１の価格を設定してもよい。
【００３４】
なお、ＥＣサーバ１００は、上述した所定の利益（ポイント、クーポンなど）や送料を適宜組み合わせて調整された実質価格に基づいて、商品Ｘ１の価格を設定してもよい。具体的には、ＥＣサーバ１００は、所定の利益（ポイント、クーポンなど）や送料を適宜組み合わせて調整された商品Ｘ１の実質価格と、所定の利益（ポイント、クーポンなど）や送料を適宜組み合わせて調整された商品Ｙ１の実質価格とに基づいて、商品Ｙ１よりも有利になるように、商品Ｘ１の価格を設定してもよい。
【００３５】
なお、付与ポイントや付与クーポンは、所定の商品の購入に際して購入者に付与される所定の利益の一例であり、これらの例に限られないものとする。
【００３６】
なお、所定の商品に設定された下限の価格は、所定の商品の販売価格に対する価格であってもよい。例えば、下限の価格は、上述した所定の利益（ポイント、クーポンなど）や送料が適用された実質価格に対する価格でなくてもよい。また、例えば、下限の価格は、所定の商品の実質価格に対する価格であってもよい。
【００３７】
〔互いに商品が指定された場合〕
以下、図２を用いて、販売者Ｕ１と販売者Ｕ２とが互いの商品を指定した場合の情報処理の一例を説明する。図２のステップＳ２００−１とステップＳ２００−２とを総合して、適宜「ステップＳ２００」と呼ぶ。図２のステップＳ２００乃至ステップＳ２０４は、図１のステップＳ１００乃至ステップＳ１０４と同様の処理を行う。例えば、図２のステップＳ２０４の処理の後、販売者Ｕ２は、商品Ｙ１と紐付く商品として商品Ｘ１を指定（選択）したとする。例えば、販売者Ｕ２は、商品Ｙ１と競合関係（ライバル関係）にある商品として商品Ｘ１を指定（選択）したとする。この場合、販売者Ｕ１と販売者Ｕ２が互いの商品を指定したこととなる。言い替えれば、販売者Ｕ１と販売者Ｕ２とが互いの商品を刺し合ったこととなる。販売者Ｕ２が利用する販売者端末１０は、商品Ｙ１の指定情報をＥＣサーバ１００に送信する（ステップＳ２０５）。具体的には、販売者Ｕ２が利用する販売者端末１０は、商品Ｙ１の指定情報として、商品Ｙ１に紐付く商品として販売者Ｕ２から受け付けられた情報をＥＣサーバ１００に送信する。なお、ステップＳ２０５は、ステップＳ２０１の後であればどのタイミングで行われてもよいものとする。
【００３８】
ＥＣサーバ１００は、商品Ｘ１の指定情報と、商品Ｙ１の指定情報とに基づいて、商品Ｘ１と商品Ｙ１の価格を設定する（ステップＳ２０６）。例えば、商品Ｘ１と商品Ｙ１との双方に下限の価格が設定された場合には、ＥＣサーバ１００は、どちらか一方の価格を下限の価格に設定する。具体的には、ＥＣサーバ１００は、下限の価格が高い方の価格を下限の価格まで値下げする。図２の例では、商品Ｘ１に設定された下限の価格は７万円であり、商品Ｙ１に設定された下限の価格は６万円であり、商品Ｙ１よりも商品Ｘ１の下限の価格が高いため、ＥＣサーバ１００は、商品Ｘ１の価格を商品Ｘ１の下限の価格である７万円に設定する。また、ＥＣサーバ１００は、商品Ｙ１の価格を商品Ｘ１の下限の価格よりも安くなる価格に設定する。
【００３９】
上記実施形態では、ＥＣサーバ１００は、商品Ｘ１の価格が減少するように設定する例を示したが、商品Ｘ１の価格が上昇するように設定してもよい。例えば、ＥＣサーバ１００は、商品Ｘ１の価格が６万９千円、商品Ｙ１の価格が７万円に設定されていた場合であって、何等かの理由により商品Ｙ１の価格が８万円になった場合には、商品Ｘ１の価格を７万９千円に設定してもよい。このように価格を上昇させる際は、ＥＣサーバ１００は、各種要素を考慮して設定してもよい。具体的には、ＥＣサーバ１００は、商品Ｘ１の販売数と価格との相関性や、商品Ｘ１の価格と商品Ｙ１の価格と商品Ｘ１の販売数と商品Ｙ１の販売数との相関性を学習させたモデルを用いて、商品Ｙ１の販売数よりも商品Ｘ１の販売数が多くなるように、若しくは、商品Ｙ１の販売数に所定の係数を積算した数よりも商品Ｘ１の販売数が多くなる価格のうち、商品Ｙ１の価格未満となる最も高い価格に設定してもよい。また、ＥＣサーバ１００は、送料やポイント等を要素として販売数との相関性をモデルに学習させてもよい。
【００４０】
また、ＥＣサーバ１００は、商品Ｘ１が商品Ｙ１と紐付けられた旨の情報を販売者Ｕ１に送信（通知）してもよい（ステップＳ２０７）。なお、ステップＳ２０７は、ステップＳ２０５の後であればどのタイミングで行われてもよいものとする。また、ＥＣサーバ１００は、利用者Ａ１の配信要求に応じて所定のコンテンツを配信する。この際に、ＥＣサーバ１００は、競合関係にあると互いに指定（選択）された商品を推奨してもよい（ステップＳ２０８）。例えば、ＥＣサーバ１００は、利用者Ａ１が商品Ｘ１のコンテンツの配信を要求した場合には、商品Ｘ１と紐付く商品として販売者Ｕ１により指定(選択)された商品Ｙ１を推奨してもよい。また、例えば、ＥＣサーバ１００は、利用者Ａ１が商品Ｙ１のコンテンツの配信を要求した場合には、商品Ｙ１と紐付く商品として販売者Ｕ２により指定(選択)された商品Ｘ１を推奨してもよい。なお、ステップＳ２０８は、ステップＳ２０５の後であればどのタイミングで行われてもよいものとする。
【００４１】
なお、ＥＣサーバ１００は、図２のステップＳ２０６において、実質価格に基づいて、商品Ｘ１と商品Ｙ１の価格を設定してもよい。例えば、ＥＣサーバ１００は、商品Ｘ１の実質価格と、商品Ｙ１の実質価格とに基づいて、どちらか一方の販売価格が下限の価格になるまで値下げしてもよい。図２の例では、ＥＣサーバ１００は、付与ポイントに関わらず、商品Ｘ１の販売価格を７万円に設定してもよい。この場合、付与ポイントは１０％であるので、商品Ｘ１の実質価格は６万３千円となる。例えば、ＥＣサーバ１００は、商品Ｘ１の実質価格と、商品Ｙ１の実質価格とに基づいて、どちらか一方の実質価格が下限の価格になるまで値下げしてもよい。図２の例では、ＥＣサーバ１００は、商品Ｘ１の販売価格を、付与クーポンを含めて７万５千円に設定してもよい。この場合、付与クーポンは５千円であるので、商品Ｘ１の実質価格は７万円となる。このように、ＥＣサーバ１００は、所定の利益（ポイント、クーポンなど）や送料を適宜組み合わせて調整された実質価格に基づいて、互いの商品の価格（販売価格や実質価格）を設定してもよい。
【００４２】
（実施形態２）
〔類似性を示す指標値の算出〕
ここで、販売者Ｕ１や販売者Ｕ２が設定した競合商品の情報は、電子商店街の運営や電子商店街に商品を出品する際に有用な情報となりえる。例えば、所定の販売者が新規参入する場合であって、どの商品を競合として良いか不透明である場合には、他の販売者（図１の例では、販売者Ｕ１や販売者Ｕ２）が設定した商品と競合商品との関係性は、有用な情報となりえる。例えば、家電全般を販売する所定の事業者が電子商店街にスマホ商品を初めて出品する際には、スマホ商品を出品する他の事業者が設定した商品と競合商品との関係性は、有用な情報となりえる。また、一般に想到可能な競合商品とは、同一の商品であって他の販売者によって販売される商品や、メーカーが異なるが商品種別が同一の商品などであるが、一般的に想到できない競合商品も存在する。この場合に、例えば、価格が大きく異なる商品同士が競合する場合もあれば、飲料と家電装置とが競合する場合も考えられるため、他の販売者が設定した商品と競合商品との関係性は、有用な情報となりえる。また、販売者Ｕ１は商品Ｘ１と商品Ｙ１とが競合すると考えているが、販売者Ｕ２は商品Ｙ１と商品Ｘ１とが競合しないと考えている場合もある。この場合に、例えば、商品Ｘ１から見て商品Ｙ１は競合商品であるが、商品Ｙ１から見て商品Ｘ１は競合商品ではないとも考えられるため、他の販売者が設定した商品と競合商品との関係性は、有用な情報となりえる。このような競合関係の特性を考慮すると、各販売者によって設定された競合商品の情報は、有用な情報であると言える。そこで、ＥＣサーバ１００は、各販売者によって設定された競合商品の情報に基づいて、ユーザビリティの向上を図る情報処理を実行する。以下、図３を用いて、実施形態２に係る情報処理の一例を説明する。
【００４３】
例えば、実施形態２では、所定の販売者（販売者Ｕ１）により販売される商品の商品情報に基づいて、類似性が所定の条件を満たす商品であって他の販売者（販売者Ｕ３）により販売される商品を特定する処理の一例を説明する。図３は、実施形態２に係る情報処理の一例を示す図である。図３では、実施形態２に係る情報処理がＥＣサーバ１００により実行される例を示す。なお、実施形態２に係るＥＣサーバ１００は、本願に係る情報処理装置の一例である。
【００４４】
実施形態２では、商品Ｘ１と類似性が所定の条件を満たす商品（競合関係にある商品）として商品Ｙ１が特定されたものとする。例えば、販売者Ｕ１が商品Ｘ１と紐付く商品として商品Ｙ１が指定された場合である（例えば、図１の例である）。例えば、販売者Ｕ２が商品Ｙ１と紐付く商品として商品Ｘ１が指定された場合であってもよい（例えば、図２の例である）。
【００４５】
図３のステップＳ３００−１とステップＳ３００−２とを総合して、適宜「ステップＳ３００」と呼ぶ。図３のステップＳ３００は、図１のステップＳ１００と同様の処理を行う。
【００４６】
ＥＣサーバ１００は、商品Ｘ１と商品Ｙ１との類似性を示す指標値を算出するモデルを生成する（ステップＳ３０１）。例えば、ＥＣサーバ１００は、商品Ｘ１の商品情報と商品Ｙ１の商品情報に含まれる画像情報や文字情報（テキスト情報）の類似性を示す指標値を算出するモデルを生成してもよい。具体的には、ＥＣサーバ１００は、商品Ｘ１と商品Ｙ１とが類似するものとして、商品Ｘ１の商品情報に含まれる画像情報や文字情報と、商品Ｙ１の商品情報に含まれる画像情報や文字情報の類似性を示す指標値を算出するモデルを生成する。このように、ＥＣサーバ１００は、商品と競合商品とが類似するとし、互いの商品情報に含まれる情報に基づいてモデルに各商品の商品情報の特徴を学習させる。例えば、ＥＣサーバ１００は、所定の画像解析や所定の文字解析（形態素解析など）に基づいて類似性を示す指標値を算出するモデルを生成してもよい。これにより、ＥＣサーバ１００は、生成されたモデルを用いて、商品Ｘ１と商品Ｙ１以外の他の商品との類似性（競合関係）を判定することができる。
【００４７】
例えば、販売者Ｕ３は、商品Ｚ１の商品情報をＥＣサーバ１００に入稿したとする（ステップＳ３０２）。ＥＣサーバ１００は、ステップＳ３０１において生成されたモデルを用いて、商品Ｘ１との類似性を示す指標値を算出する（ステップＳ３０３）。そして、ＥＣサーバ１００は、算出された指標値に応じて商品Ｘ１との競合関係（ライバル関係）を判定する（ステップＳ３０４）。例えば、ＥＣサーバ１００は、算出された指標値が所定の閾値以上であるか否かに応じて競合関係を判定してもよい。そして、ＥＣサーバ１００は、判定結果に応じて、商品Ｘ１と商品Ｚ１とが競合関係にある旨の情報を販売者Ｕ３に送信（通知）する（ステップＳ３０５−１）。例えば、ＥＣサーバ１００は、商品Ｘ１の価格と商品Ｚ１の価格とに基づいて、商品Ｚ１の価格の再設定を販売者Ｕ３に提案してもよい。
【００４８】
また、ＥＣサーバ１００は、判定結果に応じて、商品Ｘ１と商品Ｚ１とが競合関係にある旨の情報を販売者Ｕ１に送信（通知）してもよい（ステップＳ３０５−２）。例えば、ＥＣサーバ１００は、商品Ｘ１の価格と商品Ｚ１の価格とに基づいて、商品Ｘ１の価格の再設定を販売者Ｕ１に提案してもよい。また、図３には示されていないが、ＥＣサーバ１００は、判定結果に応じて、商品Ｘ１（又は商品Ｙ１）と商品Ｚ１とが競合関係にある旨の情報を販売者Ｕ２に送信（通知）してもよい。例えば、ＥＣサーバ１００は、商品Ｙ１の価格と商品Ｚ１の価格とに基づいて、商品Ｙ１の価格の再設定を販売者Ｕ２に提案してもよい。
【００４９】
以下、図３のステップＳ３０１において、ＥＣサーバ１００により生成されるモデルについて説明する。
【００５０】
ＥＣサーバ１００は、商品Ｘ１の商品情報（以下、適宜「Ｘ１情報」と呼ぶ）と、評価対象である商品Ｙ１の商品情報（以下、適宜「Ｙ１情報」と呼ぶ）とに基づいて、Ｘ１情報とＹ１情報との類似性（相関性）を示す指標値を出力するよう、コンピュータを機能させるためのモデルを生成する。具体的には、ＥＣサーバ１００は、Ｘ１情報に基づくモデルであって、Ｙ１情報が入力された場合に、Ｘ１情報とＹ１情報との類似性（相関性）を示す指標値を出力するモデルを生成する。すなわち、ＥＣサーバ１００は、所定の販売者（例えば、販売者Ｕ１）により競合関係にあると設定された商品同士の商品情報に基づいて生成されるモデルであって、他の販売者（例えば、販売者Ｕ３）により販売される商品の商品情報が入力された場合に、所定の販売者により販売される商品と、他の販売者により販売される商品との類似性（相関性）を示す指標値を出力するモデルを生成する。具体的には、ＥＣサーバ１００は、競合していると登録されている商品同士の商品情報を入力した際に、競合していると登録されていない商品同士の商品情報を入力した場合よりも、高い値の指標値を出力するようにモデルの学習を行う。以下にモデルの学習の一例について説明する。
【００５１】
例えば、商品Ａから見て商品Ｂが競合商品であり（商品Ａの販売者が商品Ｂを商品Ａの競合商品として登録した場合）、商品Ｂから見て商品Ａが競合商品であり、商品Ｃから見て商品Ｄが競合商品であるとする。なお、商品Ｄから見て商品Ｃを競合商品とする登録は行われていないものとする。この場合、例えば、ＥＣサーバ１００は、商品Ａの情報と商品Ｂの情報とを入力した際に、商品Ａの情報と商品Ｃの情報とを入力した場合よりも高い値の指標値を出力するようにモデルの学習を行う。
【００５２】
例えば、商品Ａの情報と商品Ｂの情報とを入力した際に、指標値と共に、商品Ａと商品Ｂとが相互に競合する旨の情報を出力するようにモデルの学習を行う。より具体的な例を挙げると、商品Ａから見た商品Ｂの競合関係を示すビットと、商品Ｂから見た商品Ｃの競合関係を示すビットとが「１」になるように学習を行う。
【００５３】
例えば、商品Ｃの情報と商品Ｄの情報とを入力した際に、指標値と共に、商品Ｃと商品Ｄとが一方的な競合となる旨の情報を出力するようにモデルの学習を行う。より具体的な例を挙げると、商品Ｃから見た商品Ｄの競合関係を示すビットが「１」となり、商品Ｄから見た商品Ｃの競合関係を示すビットが「０」になるように学習を行う。このような学習を行うことで、ＥＣサーバ１００は、商品の類似性のみならず、商品が相互に競合しているか否か、若しくは、商品が一方的な競合関係にあるか否かを、商品を出品した販売者の考えに沿って判断可能なモデルを実現することができる。
【００５４】
また、例えば、ＥＣサーバ１００は、販売者Ｕ１により商品Ｘ１と競合関係にあると設定された商品の商品情報を素性とし、正解データである商品を当てるためのモデルを生成してもよい。具体的には、ＥＣサーバ１００は、素性となる商品情報のうち、どのような情報にどのような重みが与えられるかを回帰的に学習させたモデルを生成してもよい。言い替えれば、ＥＣサーバ１００は、正解データとして取得された商品情報のうち、いずれの情報が「商品Ｘ１との類似性」に影響を与えるか、といったことを示すモデルを生成してもよい。
【００５５】
ＥＣサーバ１００は、販売者Ｕ１により競合関係にあると設定された商品の商品情報のうち、商品Ｘ１との類似性（相関性）がより高い商品情報に基づく重み係数ほど重み係数の値が大きくなるように学習したモデルであって、例えば販売者Ｕ３により販売される商品Ｚ１の商品情報（以下、適宜「Ｚ１情報」と呼ぶ）が入力された場合に、Ｘ１情報とＺ１情報との類似性（相関性）を示す指標値を出力するモデルを生成してもよい。すなわち、ＥＣサーバ１００は、商品Ｘ１と類似性が所定の条件を満たすと特定された商品の商品情報のうち、類似性がより高い商品の商品情報に基づく重み係数ほど重み係数の値が大きくなるように学習し、学習結果を反映したモデルを生成してもよい。
【００５６】
ＥＣサーバ１００は、商品Ｘ１と類似性が所定の条件を満たすと特定された商品の商品情報のうち、商品情報に含まれる画像情報の類似性がより高い商品の商品情報に基づく重み係数ほど重み係数の値が大きくなるように学習し、学習結果を反映したモデルを生成してもよい。具体的には、ＥＣサーバ１００は、画像情報に含まれるオブジェクトの属性（種別やカテゴリなどを含む）がより近い商品の商品情報に基づく重み係数ほど重み係数の値が大きくなるように学習し、学習結果を反映したモデルを生成してもよい。また、ＥＣサーバ１００は、商品Ｘ１と類似性が所定の条件を満たすと特定された商品の商品情報のうち、商品情報に含まれる文字情報（テキスト情報）の類似性がより高い商品の商品情報に基づく重み係数ほど重み係数の値が大きくなるように学習し、学習結果を反映したモデルを生成してもよい。例えば、ＥＣサーバ１００は、文字情報に含まれるタグ情報（ハッシュタグなどを含む）の共通性がより多い商品の商品情報に基づく重み係数ほど重み係数の値が大きくなるように学習し、学習結果を反映したモデルを生成してもよい。
【００５７】
このように、ＥＣサーバ１００は、例え商品Ｘ１と商品Ｚ１とが、形状、機能、構成などにおいて全く異なる商品であったとしても、商品Ｘ１の販売者Ｕ１によって指定された商品Ｙ１と商品Ｘ１との類似性に基づいて、商品Ｚ１を特定することができる。
【００５８】
また、ＥＣサーバ１００は、商品Ｘ１と類似性が所定の条件を満たすと特定された商品の商品情報のうち、商品の注目度（ウォッチ数など）がより高い商品の商品情報に基づく重み係数ほど重み係数の値が大きくなるように学習し、学習結果を反映したモデルを生成してもよい。
【００５９】
以下に、ＥＣサーバ１００が生成するモデルの一例を示す。なお、ＥＣサーバ１００が生成するモデルは以下のものに限られず、所定の販売者により競合関係にあると設定された商品同士の商品情報に基づいて生成されるモデルであって、他の販売者により販売される商品の商品情報が入力された場合に、所定の販売者により販売される商品と、他の販売者により販売される商品との類似性（相関性）を示す指標値を出力するモデルであれば、どのようなモデルであってもよい。
【００６０】
ｙ＝ω1・ｘ1＋ω2・ｘ2＋ω3・ｘ3＋・・・＋ωN・ｘN・・・（１）（Ｎは任意の数）
【００６１】
上記式（１）において、「ｙ」は、「類似性が所定の条件を満たすか否か」という事象を示す。学習において、正解データとするのであれば、「ｙ」は「１」の値を取る。
【００６２】
なお、例示したモデルは一例であり、ＥＣサーバ１００が生成するモデルは上記の例に限られない。したがって、例えば、ＥＣサーバ１００は、統計的処理によりモデルを生成してもよいし、また、ニューラルネットワークを利用したモデル等を生成してもよい。また、学習処理（機械学習）においては、線形回帰、ロジスティック回帰、サポートベクタ―マシン、決定木、ハザード分析等の種々の手法が利用されてもよい。
【００６３】
〔２．販売者端末の構成〕
次に、図５を用いて、実施形態に係る販売者端末１０の構成について説明する。図５は、実施形態に係る販売者端末１０の構成例を示す図である。図５に示すように、販売者端末１０は、通信部１１と、入力部１２と、出力部１３と、制御部１４とを有する。
【００６４】
（通信部１１）
通信部１１は、例えば、ＮＩＣ（Network  Interface  Card）等によって実現される。そして、通信部１１は、所定のネットワークＮと有線又は無線で接続され、所定のネットワークＮを介して、ＥＣサーバ１００との間で情報の送受信を行う。
【００６５】
（入力部１２）
入力部１２は、販売者からの各種操作を受け付ける。例えば、入力部１２は、タッチパネル機能により表示面を介して販売者からの各種操作を受け付けてもよい。また、入力部１２は、販売者端末１０に設けられたボタンや、販売者端末１０に接続されたキーボードやマウスからの各種操作を受け付けてもよい。
【００６６】
（出力部１３）
出力部１３は、例えば液晶ディスプレイや有機ＥＬ（Electro-Luminescence）ディスプレイ等によって実現されるタブレット端末等の表示画面であり、各種情報を表示するための表示装置である。また、出力部１３は、ＥＣサーバ１００から送信された情報を出力する。
【００６７】
（制御部１４）
制御部１４は、例えば、コントローラ（controller）であり、ＣＰＵ（Central  Processing  Unit）やＭＰＵ（Micro  Processing  Unit）等によって、販売者端末１０内部の記憶装置に記憶されている各種プログラムがＲＡＭ（Random  Access  Memory)を作業領域として実行されることにより実現される。例えば、この各種プログラムには、販売者端末１０にインストールされたアプリケーションのプログラムが含まれる。例えば、この各種プログラムには、ＥＣサーバから送信された情報を表示するアプリケーションのプログラムが含まれる。また、制御部１４は、例えば、ＡＳＩＣ（Application  Specific  Integrated  Circuit）やＦＰＧＡ（Field  Programmable  Gate  Array）等の集積回路により実現される。
【００６８】
図５に示すように、制御部１４は、入稿部１４１と、送信部１４２と、受信部１４３とを有し、以下に説明する情報処理の作用を実現または実行する。
【００６９】
（入稿部１４１）
入稿部１４１は、販売者端末１０を利用する所定の販売者の操作に応じて、所定の商品の商品情報をＥＣサーバ１００に入稿する。
【００７０】
（送信部１４２）
送信部１４２は、販売者端末１０を利用する所定の販売者の操作に応じて、所定の販売者が販売する所定の商品と紐付く商品（競合関係にある商品）として受け付けられた指定情報をＥＣサーバ１００に送信する。
【００７１】
（受信部１４３）
受信部１４３は、送信部１４２により送信された指定情報に基づいて、ＥＣサーバ１００から送信された情報を受信する。例えば、受信部１４３は、所定の販売者が販売する商品と、他の販売者が販売する商品とが紐付けられた旨の情報を受信する。図１の例では、受信部１４３は、販売者Ｕ２は、販売者Ｕ２が販売する商品Ｙ１が商品Ｘ１と紐付けられた旨の情報を受信する。例えば、受信部１４３は、所定の販売者が販売する商品と、他の販売者が販売する商品とが競合関係（ライバル関係）にある旨の情報を受信する。図３の例では、受信部１４３は、販売者Ｕ１は、商品Ｘ１と販売者Ｕ３が販売する商品Ｚ１とが競合関係にある旨の情報を受信する。
【００７２】
〔３．利用者端末の構成〕
次に、図６を用いて、実施形態に係る利用者端末２０の構成について説明する。図６は、実施形態に係る利用者端末２０の構成例を示す図である。図６に示すように、利用者端末２０は、通信部２１と、入力部２２と、出力部２３と、制御部２４とを有する。
【００７３】
（通信部２１）
通信部２１は、例えば、ＮＩＣ等によって実現される。そして、通信部２１は、所定のネットワークＮと有線又は無線で接続され、所定のネットワークＮを介して、ＥＣサーバ１００との間で情報の送受信を行う。
【００７４】
（入力部２２）
入力部２２は、利用者からの各種操作を受け付ける。例えば、入力部２２は、タッチパネル機能により表示面を介して利用者からの各種操作を受け付けてもよい。また、入力部２２は、利用者端末２０に設けられたボタンや、利用者端末２０に接続されたキーボードやマウスからの各種操作を受け付けてもよい。
【００７５】
（出力部２３）
出力部２３は、例えば液晶ディスプレイや有機ＥＬディスプレイ等によって実現されるタブレット端末等の表示画面であり、各種情報を表示するための表示装置である。また、出力部２３は、ＥＣサーバ１００から配信されたコンテンツを出力する。
【００７６】
（制御部２４）
制御部２４は、例えば、コントローラであり、ＣＰＵやＭＰＵ等によって、利用者端末２０内部の記憶装置に記憶されている各種プログラムがＲＡＭを作業領域として実行されることにより実現される。例えば、この各種プログラムには、利用者端末２０にインストールされたアプリケーションのプログラムが含まれる。例えば、この各種プログラムには、ＥＣサーバ１００から配信されたコンテンツを表示するアプリケーションのプログラムが含まれる。また、制御部２４は、例えば、ＡＳＩＣやＦＰＧＡ等の集積回路により実現される。
【００７７】
図６に示すように、制御部２４は、要求部２４１と、受信部２４２とを有し、以下に説明する情報処理の作用を実現または実行する。
【００７８】
（要求部２４１）
要求部２４１は、利用者端末２０を利用する利用者の操作に応じて、所定のコンテンツを配信するようＥＣサーバ１００に要求する。
【００７９】
（受信部２４２）
受信部２４２は、要求部２４１による要求に応じてＥＣサーバ１００から配信されたコンテンツを受信する。
【００８０】
〔４．ＥＣサーバの構成〕
次に、図７を用いて、実施形態に係るＥＣサーバ１００の構成について説明する。図７は、実施形態に係るＥＣサーバ１００の構成例を示す図である。図７に示すように、ＥＣサーバ１００は、通信部１１０と、記憶部１２０と、制御部１３０とを有する。なお、ＥＣサーバ１００は、ＥＣサーバ１００の管理者から各種操作を受け付ける入力部（例えば、キーボードやマウス等）や、各種情報を表示するための表示部（例えば、液晶ディスプレイ等）を有してもよい。
【００８１】
（通信部１１０）
通信部１１０は、例えば、ＮＩＣ等によって実現される。そして、通信部１１０は、ネットワークＮと有線又は無線で接続され、ネットワークＮを介して、販売者端末１０と、利用者端末２０との間で情報の送受信を行う。
【００８２】
（記憶部１２０）
記憶部１２０は、例えば、ＲＡＭ、フラッシュメモリ等の半導体メモリ素子、または、ハードディスク、光ディスク等の記憶装置によって実現される。図７に示すように、記憶部１２０は、商品情報記憶部１２１と、指定情報記憶部１２２と、モデル情報記憶部１２３とを有する。
【００８３】
商品情報記憶部１２１は、各販売者から入稿された商品情報を記憶する。ここで、図８に、実施形態に係る商品情報記憶部１２１の一例を示す。図８に示すように、商品情報記憶部１２１は、「商品ＩＤ」、「販売者ＩＤ」、「商品名」、「ジャンル」、「販売価格」、「付与ポイント」、「送料」、「実質価格」、「下限の価格」といった項目を有する。
【００８４】
「商品ＩＤ」は、各販売者から入稿された商品情報を識別するための識別情報を示す。「販売者ＩＤ」は、販売者を識別するための識別情報を示す。「商品名」は、商品の商品名を示す。「ジャンル」は、商品のジャンルを示す。「販売価格」は、入稿時に設定された商品の販売価格（価格）を示す。「付与ポイント」は、商品の購入に際して購入者に付与されるポイント（所定の利益の一例）を示す。「送料」は、商品の購入に際して購入者が負担する送料を示す。「実質価格」は、商品の実質価格を示す。例えば、「実質価格」は、販売価格に付与ポイントや送料を加味した実質的な価格を示す。「下限の価格」は、値下げの限界値として販売者により設定された価格を示す。例えば、「下限の価格」は、販売価格に関して値下げの限界値として設定された価格を示す。例えば、「下限の価格」は、実質価格に関して値下げの限界値として設定された価格を示す。
【００８５】
指定情報記憶部１２２は、販売者端末１０から送信された指定情報を記憶する。ここで、図９に、実施形態に係る指定情報記憶部１２２の一例を示す。図９に示すように、指定情報記憶部１２２は、「指定ＩＤ」、「商品ＩＤ」、「指定１」、「指定２」、「指定３」といった項目を有する。
【００８６】
「指定ＩＤ」は、指定情報を識別するための識別情報を示す。「商品ＩＤ」は、商品を識別するための識別情報を示す。「指定１」乃至「指定３」は、指定の対象となる商品を識別するための識別情報を示す。
【００８７】
モデル情報記憶部１２３は、ＥＣサーバ１００により生成されたモデルを識別するための識別情報を示す。ここで、図１０に、実施形態に係るモデル情報記憶部１２３の一例を示す。図１０に示すように、モデル情報記憶部１２３は、「モデルＩＤ」、「算出式（モデル）」といった項目を有する。
【００８８】
「モデルＩＤ」は、生成されたモデルを識別するための識別情報を示す。「算出式（モデル）」は、商品同士の類似性を示す指標値を算出するために用いられる算出式を示す。なお、図１０に示す例では、算出式（モデル）の項目を「ＭＯ＃１」のような概念で示しているが、実際には、算出式（モデル）の項目には、具体的な式が記憶される。なお、算出式（モデル）は、商品同士の商品情報に含まれる情報を用いて類似性を示す指標値を算出する式であれば、どのような式が採用されてもよい。
【００８９】
（制御部１３０）
制御部１３０は、コントローラであり、例えば、ＣＰＵやＭＰＵ等によって、ＥＣサーバ１００内部の記憶装置に記憶されている各種プログラムがＲＡＭを作業領域として実行されることにより実現される。また、制御部１３０は、コントローラであり、例えば、ＡＳＩＣやＦＰＧＡ等の集積回路により実現される。
【００９０】
図７に示すように、制御部１３０は、受信部１３１と、第１特定部１３２と、設定部１３３と、通知部１３４と、生成部１３５と、第２特定部１３６とを有し、以下に説明する情報処理の作用を実現または実行する。なお、制御部１３０の内部構成は、図７に示した構成に限られず、後述する情報処理を行う構成であれば他の構成であってもよい。
【００９１】
（受信部１３１）
受信部１３１は、販売者端末１０から入稿された商品情報を受信する。受信部１３１は、受信した商品情報を商品情報記憶部１２１に記憶する。図１の例では、受信部１３１は、販売者Ｕ１から入稿された商品Ｘ１の商品名や価格や付与ポイントなどに関する情報を記憶する。また、受信部１３１は、販売者Ｕ２から入稿された商品Ｙ１の商品名や価格や付与ポイントなどに関する情報を記憶する。また、受信部１３１は、販売者端末１０から送信された指定情報を受信する。受信部１３１は、受信した指定情報を商品情報に対応付けて商品情報記憶部１２１に記憶してもよい。図１の例では、受信部１３１は、商品Ｘ１と紐付く商品として商品Ｙ１が指定された旨の情報を記憶してもよい。また、図３の例では、受信部１３１は、販売者Ｕ３から商品Ｘ１の商品名や価格や付与ポイントなどに関する情報を受信し記憶する。
【００９２】
（第１特定部１３２）
第１特定部１３２は、受信部１３１により受信された情報（又は、商品情報記憶部１２１により記憶された情報）に基づいて、所定の商品の価格を特定する。例えば、第１特定部１３２は、受信部１３１により受信された指定情報に基づいて、他の販売者により販売される所定の商品を特定し、受信部１３１により受信された商品情報に基づいて、所定の商品の価格を特定する。具体的な例を挙げると、第１特定部１３２は、指定情報記憶部１２２を参照して、商品Ｘ１と紐付けられた商品Ｘ１１を特定し、商品情報記憶部１２１を参照して、商品Ｘ１１の価格を特定する。また、例えば、第１特定部１３２は、指定情報記憶部１２２を参照して、商品Ｘ３と紐付けられた商品Ｘ３１と商品Ｘ３２とを特定し、商品情報記憶部１２１を参照して、商品Ｘ３１と商品Ｘ３２の各価格を特定する。このように、第１特定部１３２は、所定の販売者により予め選択された商品であって他の販売者により販売される商品の価格を特定する。すなわち、第１特定部１３２は、所定の販売者が所定の販売者により販売される商品と紐付けた商品であって、他の販売者により販売される商品の価格を特定する。
【００９３】
第１特定部１３２は、他の販売者により販売される商品の購入に際して購入者に付与される所定の利益を特定する。例えば、第１特定部１３２は、所定の利益として、購入者に付与されるポイントを特定する。例えば、第１特定部１３２は、所定の利益として、購入者に付与されるクーポン（クーポン券）を特定する。また、第１特定部１３２は、他の販売者により販売される商品の送料を特定する。例えば、第１特定部１３２は、購入者ごとに商品の送料を特定してもよい。
【００９４】
第１特定部１３２は、所定の販売者により予め選択されたジャンル（カテゴリ）に含まれる商品の価格を特定する。例えば、第１特定部１３２は、所定の販売者により選択されたジャンルがスマホである場合には、所定の記憶部（例えば、商品情報記憶部１２１）に記憶された商品のうち、商品名に「スマホ」を有する全て又は一部の商品の価格を特定してもよい。また、例えば、第１特定部１３２は、所定の販売者により選択されたジャンルが折りたたみ式スマホである場合には、所定の記憶部（例えば、商品情報記憶部１２１）に記憶された商品のうち、属性が「折りたたみ式スマホ」である全て又は一部の商品の価格を特定してもよい。また、第１特定部１３２は、所定の販売者による操作に応じて選択された複数の商品の価格を特定してもよい。
【００９５】
（設定部１３３）
設定部１３３は、第１特定部１３２により特定された価格に基づいて、所定の販売者により販売される商品の価格を設定する。具体的には、設定部１３３は、第１特定部１３２により特定された他の販売者により販売される商品の価格に基づいて、所定の商品の価格を設定する。
【００９６】
設定部１３３は、所定の販売者により販売される商品の価格を、他の販売者により販売される商品の価格よりも安くなる価格に設定する。例えば、設定部１３３は、所定の販売者により販売される商品の販売価格を、他の販売者により販売される商品の販売価格よりも安くなる価格に設定する。例えば、設定部１３３は、所定の販売者により販売される商品の実質価格を、他の販売者により販売される商品の実質価格よりも安くなる価格に設定する。具体的な例を挙げると、設定部１３３は、所定の販売者により販売される商品の付与ポイントを含む実質価格を、他の販売者により販売される商品の付与ポイントを含む実質価格よりも総合的に安くなる価格に設定する。
【００９７】
設定部１３３は、所定の販売者により販売される商品の価格を、所定の販売者により所定の商品に対して予め定められた下限の価格以上の価格に設定する。これにより、設定部１３３は、複数の販売者の刺し合いにより価格の暴落を防止することができる。
【００９８】
設定部１３３は、第１特定部１３２により特定された所定の利益と価格とに基づいて、所定の販売者により販売される商品の価格を設定する。例えば、設定部１３３は、第１特定部１３２により特定された付与ポイントと価格とに基づいて、所定の販売者により販売される商品の価格を設定する。この場合、例えば、設定部１３３は、所定の販売者により販売される取引対象の購入に際して購入者に付与されるポイントを設定してもよい。例えば、設定部１３３は、第１特定部１３２により特定された付与クーポンと価格とに基づいて、所定の販売者により販売される商品の価格を設定する。この場合、例えば、設定部１３３は、所定の販売者により販売される取引対象の購入に際して購入者に付与されるクーポンを設定してもよい。例えば、設定部１３３は、第１特定部１３２により特定された送料と価格とに基づいて、所定の販売者により販売される商品の価格を設定する。この場合、例えば、設定部１３３は、所定の販売者により販売される商品の送料を設定してもよい。
【００９９】
設定部１３３は、第１特定部１３２により特定された価格が更新された場合、更新された価格よりも安くなる価格に、所定の販売元により販売される商品の価格を再設定する。例えば、図１の例において、設定部１３３は、販売者Ｕ２が商品Ｙ１の価格を更新した場合、更新された価格よりも安くなる価格に、商品Ｘ１の価格を再設定する。例えば、設定部１３３は、販売者Ｕ２が商品Ｙ１の価格を８万円から９万円に値上げした場合、値上げされた価格である９万円よりも安くなる価格に、商品Ｘ１の価格を再設定する。また、例えば、設定部１３３は、販売者Ｕ２が商品Ｙ１の価格を８万円から７万５千円に値下げした場合、値下げされた価格である７万５千円よりも安くなる価格であって、商品Ｘ１の下限の価格以上の価格に商品Ｘ１の価格を再設定する。このように、設定部１３３は、所定の記憶部（例えば、商品情報記憶部１２１）に記憶された商品情報が更新される毎に更新された商品の価格を取得して、対象となる商品の価格を再設定してもよい。
【０１００】
設定部１３３は、第１特定部１３２により特定された複数の商品の価格に基づいて、複数の商品の最安値よりも安くなる価格に、所定の販売者により販売される商品の価格を設定してもよい。例えば、販売者Ｕ１は、商品Ｘ１と競合関係にある商品として、販売者Ｕ２から販売される商品Ｙ１（価格＝８万円）や商品Ｙ２（価格＝７万８千円）や商品Ｙ３（価格＝８万３千円）を選択したとする。例えば、販売者Ｕ１は、商品Ｘ１が有する属性のジャンルを選択し、商品Ｙ１と商品Ｙ２と商品Ｙ３とが含まれたとする。この場合、設定部１３３は、商品Ｙ１と商品Ｙ２と商品Ｙ３との中で最安値である商品Ｙ２の価格よりも安くなる価格に、商品Ｘ１の価格を設定してもよい。
【０１０１】
設定部１３３は、他の販売者により販売される商品が売り切れた場合、第１特定部１３２により特定された価格に基づいて設定された価格を、予め定められた所定の価格に設定してもよい。例えば、設定部１３３は、図１に示す例において、商品Ｙ１が売り切れた（在庫がなくなった）場合には、商品Ｘ１の価格を予め定められた価格（例えば、商品Ｘ１の商品情報の入稿時の価格）に設定してもよい。このように、設定部１３３は、競合関係にあると設定された商品が売り切れた場合、競合関係にあると設定された商品の価格に基づいて設定された価格前の価格に、所定の商品の価格を設定してもよい。
【０１０２】
（通知部１３４）
通知部１３４は、所定の販売者により販売される商品と、所定の販売者が商品と紐付けた商品であって、他の販売者により販売される商品とを紐付けた情報を通知する。図１の例では、通知部１３４は、商品Ｙ１が販売者Ｕ１によって商品Ｘ１と紐付けられた旨の情報を通知する。また、図２の例では、通知部１３４は、商品Ｘ１が販売者Ｕ２によって商品Ｙ１と紐付けられた旨の情報を通知する。また、通知部１３４は、他の販売者により予め選択された商品に、所定の販売者により販売される商品が含まれる場合、所定の販売者により販売される商品と、他の販売元により販売される商品とが競合関係にある旨の情報を通知する。
【０１０３】
通知部１３４は、利用者の配信要求に応じて所定のコンテンツを配信する。この際に、通知部１３４は、競合関係にあると指定（選択）された商品を推奨してもよい。例えば、通知部１３４は、競合関係にあると指定（選択）された商品に関する情報を配信してもよい。具体的には、通知部１３４は、競合関係にあると指定（選択）された商品に関するコンテンツを、配信要求を行った利用者の利用者端末２０に送信してもよい。例えば、図１の例では、通知部１３４は、利用者Ａ１が商品Ｘ１のコンテンツの配信を要求した場合には、商品Ｘ１と紐付く商品として販売者Ｕ１により指定（選択）された商品Ｙ１を推奨してもよい。また、例えば、通知部１３４は、利用者Ａ１が商品Ｙ１のコンテンツの配信を要求した場合には、商品Ｙ１と紐付けられた商品Ｘ１を推奨してもよい。このように、通知部１３４は、所定の販売者により販売される商品のコンテンツの配信を要求した利用者に対して、競合関係にある商品を推奨してもよい。
【０１０４】
通知部１３４は、第２特定部１３６により特定された商品と、所定の販売者により販売される商品とが競合関係にある旨の情報を通知する。図３の例では、例えば、通知部１３４は、販売者Ｕ３により販売される商品Ｚ１と、販売者Ｕ１により販売される商品Ｘ１とが競合関係にある旨の情報を通知する。また、通知部１３４は、第２特定部１３６により特定された商品の商品情報に基づいて、所定の販売者により販売された商品の価格の再設定を提案してもよい。図３の例では、例えば、通知部１３４は、商品Ｚ１の価格や付与ポイントなどの情報に基づいて、商品Ｘ１の価格の再設定を提案してもよい。
【０１０５】
（生成部１３５）
生成部１３５は、所定の販売者により競合関係にあると設定された商品同士の商品情報に基づいて生成されるモデルを生成する。また、生成部１３５は、他の販売者により販売される商品の商品情報が入力された場合に、所定の販売者により販売される商品と、他の販売者により販売される商品との類似性を示す指標値を出力するモデルを生成する。例えば、図３の例では、生成部１３５は、商品Ｘ１と商品Ｙ１との類似性を示す指標値を算出するモデルを生成する。
【０１０６】
生成部１３５は、学習結果を反映したモデルを生成してもよい。例えば、生成部１３５は、商品同士の商品情報のうち、類似性がより高い商品同士の商品情報に基づく重み係数ほど重み係数の値が大きくなるように学習されたモデルを生成してもよい。例えば、生成部１３５は、商品同士の商品情報のうち、商品情報に含まれる画像情報の類似性がより高い商品同士の商品情報に基づく重み係数ほど重み係数の値が大きくなるように学習されたモデルを生成してもよい。例えば、生成部１３５は、商品同士の商品情報のうち、商品情報に含まれる文字情報の類似性がより高い商品同士の商品情報に基づく重み係数ほど重み係数の値が大きくなるように学習されたモデルを生成してもよい。また、生成部１３５は、他の販売者により販売される商品の商品情報のうち、商品の注目度（ウォッチ数など）がより高い商品の商品情報に基づく重み係数ほど重み係数の値が大きくなるように学習されたモデルを生成してもよい。例えば、生成部１３５は、図３の例では、商品Ｘ１と類似性が所定の条件を満たすと特定された商品の商品情報のうち、商品の注目度がより高い商品の商品情報に基づく重み係数ほど重み係数の値が大きくなるように学習し、学習結果を反映したモデルを生成してもよい。
【０１０７】
（第２特定部１３６）
第２特定部１３６は、所定の販売者により販売される商品の商品情報に基づいて、類似性が所定の条件を満たす商品であって他の販売者により販売される商品を特定する。例えば、第２特定部１３６は、生成部１３５により生成されたモデルを用いて特定する。具体的には、第２特定部１３６は、所定の販売者により競合関係にあると設定された商品同士の商品情報に基づいて生成されるモデルであって、他の販売者により販売される商品の商品情報が入力された場合に、所定の販売者により販売される商品と、他の販売者により販売される商品との類似性を示す指標値を出力するモデルを用いて、商品を特定する。例えば、第２特定部１３６は、商品同士の商品情報のうち、類似性がより高い商品同士の商品情報に基づく重み係数ほど重み係数の値が大きくなるように学習されたモデルを用いて、商品を特定する。
【０１０８】
具体的な例を挙げると、第２特定部１３６は、商品同士の商品情報のうち、商品情報に含まれる画像情報の類似性がより高い商品同士の商品情報に基づく重み係数ほど重み係数の値が大きくなるように学習されたモデルを用いて、商品を特定する。また、例えば、第２特定部１３６は、商品同士の商品情報のうち、商品情報に含まれる文字情報の類似性がより高い商品同士の商品情報に基づく重み係数ほど重み係数の値が大きくなるように学習されたモデルを用いて、商品を特定する。また、第２特定部１３６は、他の販売者により販売される商品の商品情報のうち、商品の注目度がより高い商品の商品情報に基づく重み係数ほど重み係数の値が大きくなるように学習されたモデルを用いて、商品を特定する。
【０１０９】
なお、第２特定部１３６による処理は、第１特定部１３２により実行されてもよいものとする。すなわち、第２特定部１３６は、第１特定部１３２の一部の機能であってもよいものとする。
【０１１０】
〔５．情報処理のフロー〕
次に、図１１乃至図１２を用いて、実施形態に係る情報処理システム１による情報処理の手順について説明する。図１１乃至図１２は、実施形態に係る情報処理システム１による情報処理の手順を示すフローチャートである。
【０１１１】
図１１に示すように、ＥＣサーバ１００は、所定の商品の指定情報を受信する（ステップＳ４０１）。また、ＥＣサーバ１００は、所定の商品と紐付く商品の価格を特定する（ステップＳ４０２）。また、ＥＣサーバ１００は、特定した価格に基づいて所定の商品の価格を設定する（ステップＳ４０３）。
【０１１２】
図１２に示すように、ＥＣサーバ１００は、所定の販売者により競合関係にあると設定された商品同士の商品情報に基づいてモデルを生成する（ステップＳ５０１）。また、ＥＣサーバ１００は、他の商品の商品情報を受信した場合（ステップＳ５０２；ＹＥＳ）、所定の販売者により販売される所定の商品との類似性を示す指標値を算出する（ステップＳ５０３）。また、ＥＣサーバ１００は、他の商品の商品情報を受信しない場合（ステップ；ＮＯ）、他の商品の商品情報を受信するまで待機する。また、ＥＣサーバ１００は、算出した指標値に基づいて所定の商品との競合関係を判定する（ステップＳ５０４）。また、ＥＣサーバ１００は、判定結果に応じて、所定の商品と他の商品とが競合関係にある旨の情報を通知する（ステップＳ５０５）。
【０１１３】
〔６．効果〕
上述してきたように、実施形態に係るＥＣサーバ１００は、特定部（実施形態における「第１特定部１３２」に対応。以下同じ。）と、設定部１３３とを有する。特定部は、所定の販売元により予め選択された取引対象であって他の販売元により販売される取引対象の価格を特定する。設定部１３３は、特定部により特定された価格に基づいて、所定の販売元により販売される取引対象の価格を設定する。
【０１１４】
これにより、実施形態に係るＥＣサーバ１００は、商品を販売する販売者の利便性を向上することができる。
【０１１５】
また、特定部は、所定の販売元が、所定の販売元により販売される取引対象と紐付けた取引対象であって、他の販売元により販売される取引対象の価格を特定する。
【０１１６】
これにより、実施形態に係るＥＣサーバ１００は、商品を販売する販売者の利便性を向上することができる。
【０１１７】
また、設定部１３３は、特定部により特定された価格に基づいて、所定の販売元により販売される取引対象の価格を、他の販売元により販売される取引対象の価格よりも安くなる価格に設定する。
【０１１８】
これにより、実施形態に係るＥＣサーバ１００は、商品を販売する販売者の利便性を向上することができる。
【０１１９】
また、設定部１３３は、所定の販売元により販売される取引対象の価格を、所定の販売元により取引対象に対して予め定められた下限の価格以上の価格に設定する。
【０１２０】
これにより、実施形態に係るＥＣサーバ１００は、商品を販売する販売者の利便性を向上することができる。
【０１２１】
また、特定部は、他の販売元により販売される取引対象の購入に際して購入者に付与される所定の利益を特定する。また、設定部１３３は、特定部により特定された所定の利益と価格とに基づいて、所定の販売元により販売される取引対象の価格を設定する。
【０１２２】
これにより、実施形態に係るＥＣサーバ１００は、商品を販売する販売者の利便性を向上することができる。
【０１２３】
また、特定部は、所定の利益として、購入者に付与されるポイントを特定する。また、設定部１３３は、特定部により特定されたポイントと価格とに基づいて、所定の販売元により販売される取引対象の価格を設定する。
【０１２４】
これにより、実施形態に係るＥＣサーバ１００は、商品を販売する販売者の利便性を向上することができる。
【０１２５】
また、設定部１３３は、特定部により特定されたポイントと価格とに基づいて、所定の販売元により販売される取引対象の購入に際して購入者に付与されるポイントを設定する。
【０１２６】
これにより、実施形態に係るＥＣサーバ１００は、商品を販売する販売者の利便性を向上することができる。
【０１２７】
また、特定部は、所定の利益として、購入者に付与されるクーポンを特定する。また、設定部１３３は、特定部により特定されたクーポンと価格とに基づいて、所定の販売元により販売される取引対象の価格を設定する。
【０１２８】
これにより、実施形態に係るＥＣサーバ１００は、商品を販売する販売者の利便性を向上することができる。
【０１２９】
また、特定部は、他の販売元により販売される取引対象の送料を特定する。また、設定部１３３は、特定部により特定された送料と価格とに基づいて、所定の販売元により販売される取引対象の価格を設定する。
【０１３０】
これにより、実施形態に係るＥＣサーバ１００は、商品を販売する販売者の利便性を向上することができる。
【０１３１】
また、設定部１３３は、特定部により特定された送料と価格とに基づいて、所定の販売元により販売される取引対象の送料を設定する。
【０１３２】
これにより、実施形態に係るＥＣサーバ１００は、商品を販売する販売者の利便性を向上することができる。
【０１３３】
また、設定部１３３は、特定部により特定された価格が更新された場合、更新された価格よりも安くなる価格に、所定の販売元により販売される取引対象の価格を再設定する。
【０１３４】
これにより、実施形態に係るＥＣサーバ１００は、商品を販売する販売者の利便性を向上することができる。
【０１３５】
また、特定部は、所定の販売元により予め選択されたジャンルに含まれる取引対象の価格を特定する。
【０１３６】
これにより、実施形態に係るＥＣサーバ１００は、商品を販売する販売者の利便性を向上することができる。
【０１３７】
また、特定部は、所定の販売元による操作に応じて選択された複数の取引対象の価格を特定する。また、設定部１３３は、特定部により特定された複数の取引対象の価格に基づいて、複数の取引対象の価格の最安値よりも安くなる価格に、所定の販売元により販売される取引対象の価格を設定する。
【０１３８】
これにより、実施形態に係るＥＣサーバ１００は、商品を販売する販売者の利便性を向上することができる。
【０１３９】
また、設定部１３３は、他の販売元により販売される取引対象が売り切れた場合、特定部により特定された価格に基づいて設定された価格を、予め定められた所定の価格に設定する。
【０１４０】
これにより、実施形態に係るＥＣサーバ１００は、商品を販売する販売者の利便性を向上することができる。
【０１４１】
また、実施形態に係るＥＣサーバ１００は、所定の販売元により販売される取引対象と、所定の販売元が取引対象と紐付けた取引対象であって、他の販売元により販売される取引対象とを紐付けた情報を通知する通知部１３４を有する。
【０１４２】
これにより、実施形態に係るＥＣサーバ１００は、商品を販売する販売者の利便性を向上することができる。
【０１４３】
また、通知部１３４は、他の販売元により予め選択された取引対象に、所定の販売元により販売される取引対象が含まれる場合、所定の販売元により販売される取引対象と、他の販売元により販売される取引対象とが競合関係にある旨の情報を通知する。
【０１４４】
これにより、実施形態に係るＥＣサーバ１００は、商品を販売する販売者の利便性を向上することができる。
【０１４５】
また、通知部１３４は、所定の販売元により販売される取引対象の配信コンテンツを要求した利用者に対して、競合関係にある取引対象を推奨する。
【０１４６】
これにより、実施形態に係るＥＣサーバ１００は、ユーザビリティの向上を促進させることができる。
【０１４７】
〔７．ハードウェア構成〕
また、上述してきた実施形態に係る販売者端末１０、利用者端末２０およびＥＣサーバ１００は、例えば、図１３に示すような構成のコンピュータ１０００によって実現される。図１３は、販売者端末１０、利用者端末２０およびＥＣサーバ１００の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４９】
ＨＤＤ１４００は、ＣＰＵ１１００によって実行されるプログラム、及び、かかるプログラムによって使用されるデータ等を格納する。通信インターフェイス１５００は、所定の通信網を介して他の機器からデータを受信してＣＰＵ１１００へ送り、ＣＰＵ１１００が生成したデータを所定の通信網を介して他の機器へ送信する。
【０１５０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５２】
例えば、コンピュータ１０００が実施形態に係る販売者端末１０、利用者端末２０およびＥＣサーバ１００として機能する場合、コンピュータ１０００のＣＰＵ１１００は、ＲＡＭ１２００上にロードされたプログラムを実行することにより、制御部１４、２４および１３０の機能を実現する。コンピュータ１０００のＣＰＵ１１００は、これらのプログラムを記録媒体１８００から読み取って実行するが、他の例として、他の装置から所定の通信網を介してこれらのプログラムを取得してもよい。
【０１５３】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５５】
また、上述してきた実施形態は、処理内容を矛盾させない範囲で適宜組み合わせることが可能である。
【０１５６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５７】
また、上述してきた「部（section、module、unit）」は、「手段」や「回路」などに読み替えることができる。例えば、取得部は、取得手段や取得回路に読み替えることができる。
【符号の説明】
【０１５８】
１  情報処理システム
１０  販売者端末
２０  利用者端末
１００  ＥＣサーバ
１１０  通信部
１２０  記憶部
１２１  商品情報記憶部
１２２  指定情報記憶部
１２３  モデル情報記憶部
１３０  制御部
１３１  受信部
１３２  第１特定部
１３３  設定部
１３４  通知部
１３５  生成部
１３６  第２特定部
Ｎ      ネットワーク
【図１】
2020135462.tif 000003
【図２】
2020135462.tif 000004
【図３】
2020135462.tif 000005
【図４】
2020135462.tif 000006
【図５】
2020135462.tif 000007
【図６】
2020135462.tif 000008
【図７】
2020135462.tif 000009
【図８】
2020135462.tif 000010
【図９】
2020135462.tif 000011
【図１０】
2020135462.tif 000012
【図１１】
2020135462.tif 000013
【図１２】
2020135462.tif 000014
【図１３】
2020135462.tif 000015
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
所定の販売元により販売される取引対象と当該取引対象が取引される電子商店街上で競合関係にある取引対象として、当該所定の販売元により予め選択された取引対象であって他の販売元により当該電子商店街上で販売される取引対象の価格を、当該他の販売元により販売される取引対象の商品情報に基づいて特定する特定部と、
前記所定の販売元により販売される取引対象と前記競合関係にある取引対象として当該所定の販売元により選択された取引対象が、当該所定の販売元により販売される当該取引対象と当該競合関係にある取引対象として、前記他の販売元により選択された場合、前記特定部により特定された価格と、当該所定の販売元により販売される当該取引対象の価格とに基づいて、当該所定の販売元により販売される当該取引対象の価格を、当該特定部により特定された価格よりも安く且つ当該所定の販売元により販売される当該取引対象の値下げの限界値である下限の価格以上の任意の価格、又は、当該下限の価格に設定する設定部と、
を備えたことを特徴とする情報処理装置。
【請求項２】
前記特定部は、
前記他の販売元により販売される取引対象の購入に際して購入者に付与される所定の利益を特定し、
前記設定部は、
前記特定部により特定された前記所定の利益と前記価格とに基づいて、前記所定の販売元により販売される取引対象の価格を設定する
ことを特徴とする請求項１に記載の情報処理装置。
【請求項３】
前記特定部は、
前記所定の利益として、前記購入者に付与されるポイントを特定し、
前記設定部は、
前記特定部により特定された前記ポイントと前記価格とに基づいて、前記所定の販売元により販売される取引対象の価格を設定する
ことを特徴とする請求項２に記載の情報処理装置。
【請求項４】
前記設定部は、
前記特定部により特定された前記ポイントと前記価格とに基づいて、前記所定の販売元により販売される取引対象の購入に際して購入者に付与されるポイントを設定する
ことを特徴とする請求項３に記載の情報処理装置。
【請求項５】
前記特定部は、
前記所定の利益として、前記購入者に付与されるクーポンを特定し、
前記設定部は、
前記特定部により特定された前記クーポンと前記価格とに基づいて、前記所定の販売元により販売される取引対象の価格を設定する
ことを特徴とする請求項２〜４のいずれか一つに記載の情報処理装置。
【請求項６】
前記特定部は、
前記他の販売元により販売される取引対象の送料を特定し、
前記設定部は、
前記特定部により特定された前記送料と前記価格とに基づいて、前記所定の販売元により販売される取引対象の価格を設定する。
ことを特徴とする請求項１〜５のいずれか一つに記載の情報処理装置。
【請求項７】
前記設定部は、
前記特定部により特定された前記送料と前記価格とに基づいて、前記所定の販売元により販売される取引対象の送料を設定する
ことを特徴とする請求項６に記載の情報処理装置。
【請求項８】
前記設定部は、
前記特定部により特定された価格が更新された場合、当該更新された価格よりも安くなる価格に、前記所定の販売元により販売される取引対象の価格を再設定する
ことを特徴とする請求項１〜７のいずれか一つに記載の情報処理装置。
【請求項９】
前記特定部は、
前記所定の販売元により予め選択されたジャンルに含まれる取引対象の価格を特定する
ことを特徴とする請求項１〜８のいずれか一つに記載の情報処理装置。
【請求項１０】
前記特定部は、
前記所定の販売元による操作に応じて選択された複数の取引対象の価格を特定し、
前記設定部は、
前記特定部により特定された複数の取引対象の価格に基づいて、当該複数の取引対象の価格の最安値よりも安くなる価格に、前記所定の販売元により販売される取引対象の価格を設定する
ことを特徴とする請求項１〜９のいずれか一つに記載の情報処理装置。
【請求項１１】
前記設定部は、
前記他の販売元により販売される前記取引対象が売り切れた場合、前記特定部により特定された価格に基づいて設定された価格を、予め定められた所定の価格に設定する
ことを特徴とする請求項１〜１０のいずれか一つに記載の情報処理装置。
【請求項１２】
前記所定の販売元により販売される取引対象と、当該所定の販売元が当該取引対象と紐付けた取引対象であって、前記他の販売元により販売される取引対象とを紐付けた情報を通知する通知部、
を更に備えたことを特徴とする請求項１〜１１のいずれか一つに記載の情報処理装置。
【請求項１３】
前記通知部は、
前記他の販売元により予め選択された取引対象に、前記所定の販売元により販売される前記取引対象が含まれる場合、当該所定の販売元により販売される当該取引対象と、当該他の販売元により販売される前記取引対象とが競合関係にある旨の情報を通知する
ことを特徴とする請求項１２に記載の情報処理装置。
【請求項１４】
前記通知部は、
前記所定の販売元により販売される取引対象の配信コンテンツを要求した利用者に対して、前記競合関係にある取引対象を推奨する
ことを特徴とする請求項１３に記載の情報処理装置。
【請求項１５】
コンピュータにより実行される情報処理方法であって、
所定の販売元により販売される取引対象と当該取引対象が取引される電子商店街上で競合関係にある取引対象として、当該所定の販売元により予め選択された取引対象であって他の販売元により当該電子商店街上で販売される取引対象の価格を、当該他の販売元により販売される取引対象の商品情報に基づいて特定する特定工程と、
前記所定の販売元により販売される取引対象と前記競合関係にある取引対象として当該所定の販売元により選択された取引対象が、当該所定の販売元により販売される当該取引対象と当該競合関係にある取引対象として、前記他の販売元により選択された場合、前記特定工程により特定された価格と、当該所定の販売元により販売される当該取引対象の価格とに基づいて、当該所定の販売元により販売される当該取引対象の価格を、当該特定工程により特定された価格よりも安く且つ当該所定の販売元により販売される当該取引対象の値下げの限界値である下限の価格以上の任意の価格、又は、当該下限の価格に設定する設定工程と、
を含んだことを特徴とする情報処理方法。
【請求項１６】
所定の販売元により販売される取引対象と当該取引対象が取引される電子商店街上で競合関係にある取引対象として、当該所定の販売元により予め選択された取引対象であって他の販売元により当該電子商店街上で販売される取引対象の価格を、当該他の販売元により販売される取引対象の商品情報に基づいて特定する特定手順と、
前記所定の販売元により販売される取引対象と前記競合関係にある取引対象として当該所定の販売元により選択された取引対象が、当該所定の販売元により販売される当該取引対象と当該競合関係にある取引対象として、前記他の販売元により選択された場合、前記特定手順により特定された価格と、当該所定の販売元により販売される当該取引対象の価格とに基づいて、当該所定の販売元により販売される当該取引対象の価格を、当該特定手順により特定された価格よりも安く且つ当該所定の販売元により販売される当該取引対象の値下げの限界値である下限の価格以上の任意の価格、又は、当該下限の価格に設定する設定手順と、
をコンピュータに実行させることを特徴とする情報処理プログラム。